(57)【要約】【課題】ディスクにデータアーカイブに必要な情報を記録し、ユーザが効率的に所望のデータを長期の間信頼性をもって保管できるようにする。【解決手段】本発明に係る記録媒体は、ユーザデータを記録するためのデータ領域と、記録媒体に記録された情報を管理する管理情報を記憶する管理領域とを含み、前記管理情報はデータアーカイブに関する情報を含む。【選択図】図１
2011521392.tif 000002
【特許請求の範囲】
【請求項１】
ユーザデータを記録するためのデータ領域と、
記録媒体に記録された情報を管理する管理情報を記憶する管理領域と、を有し、
前記管理情報は、データアーカイブに関する情報を含む、記録媒体。
【請求項２】
前記管理領域は、前記記録媒体のリードイン領域に含まれ、前記ユーザデータを制御する情報を記録する制御データ領域である、請求項１に記載の記録媒体。
【請求項３】
前記管理領域は、前記記録媒体のリードイン領域より内周側に位置し、前記記録媒体の暗号と関連した情報を記録するバーストカッティングエリアである、請求項１に記載の記録媒体。
【請求項４】
前記管理領域は、前記記録媒体のリードイン領域より内周側に位置し、前記ユーザデータの記録を管理するための記録管理領域である、請求項１に記載の記録媒体。
【請求項５】
前記データアーカイブに関する情報は、前記記録媒体の予想アーカイブ保存期限を示す情報を含む、請求項２、３又は４のうちいずれか１項に記載の記録媒体。
【請求項６】
前記記録媒体の予想アーカイブ保存期限を示す情報を範囲形態で記録した、請求項５に記載の記録媒体。
【請求項７】
前記範囲は、前記予想アーカイブ保存期限の下限及び上限によって特定される、請求項６に記載の記録媒体。
【請求項８】
前記範囲は、前記予想アーカイブ保存期限を等級情報として記録する、請求項６に記載の記録媒体。
【請求項９】
前記データアーカイブに関する情報は、前記記録媒体の品質に対する認定結果を示す情報を含む、請求項２、３又は４のうちいずれか１項に記載の記録媒体。
【請求項１０】
前記データアーカイブに関する情報は、前記データアーカイブのための前記記録媒体の推奨検証間隔を示す情報を含む、請求項２、３又は４のうちいずれか１項に記載の記録媒体。
【請求項１１】
前記記録媒体は複数の層を含むことを特徴とする、請求項２、３又は４のうちいずれか１項に記載の記録媒体。
【請求項１２】
前記データアーカイブに関する情報は、前記記録媒体の一つの層に記録された後、他の層に記録されたり、複数の層に同時に記録されたりする形態で具現された、請求項１１に記載の記録媒体。
【請求項１３】
記録媒体に記録された情報を管理する管理情報を記憶する管理領域を含む前記記録媒体のアーカイブ可能性を測定し、
前記測定されたアーカイブ可能性によって、前記記録媒体に記録されたデータを他の記録媒体に移動するかどうかを判断することを有するデータ記録方法。
【請求項１４】
前記測定されたアーカイブ可能性を前記管理領域に記録することをさらに有する、請求項１３に記載のデータ記録方法。
【請求項１５】
前記記録媒体に記録されたデータをバックアップすることをさらに有する、請求項１３に記載のデータ記録方法。
【請求項１６】
記録媒体に記録された情報を管理する管理情報を記憶する管理領域を含む前記記録媒体に記録されたアーカイブ可能性測定結果を読むデータ再生方法。
【請求項１７】
記録媒体に光を照射してデータを記録するピックアップと、
前記記録媒体に記録された情報を管理する管理情報を記憶する管理領域に、前記記録媒体のアーカイブ可能性測定結果を記録するために前記ピックアップを制御する制御部と、を有するデータ記録装置。
【請求項１８】
前記制御部は、前記記録媒体に記録されたデータを移動するかどうかを判断する、請求項１７に記載のデータ記録装置。
【請求項１９】
前記制御部は、前記記録媒体に記録されたデータをバックアップするために前記ピックアップを制御する、請求項１７に記載のデータ記録装置。
【請求項２０】
記録媒体に光を照射してデータを再生するピックアップと
前記記録媒体に記録された情報を管理する管理情報を記憶する管理領域に記録された、前記記録媒体のアーカイブ可能性測定結果を読むために前記ピックアップを制御する制御部と、を有するデータ再生装置。
【請求項２１】
前記制御部は、前記管理領域が、前記記録媒体のリードイン領域に含まれ、ユーザデータを制御する情報を記録する制御データ領域である場合、前記アーカイブ可能性測定結果を読むために前記ピックアップを制御する、請求項２０に記載のデータ再生装置。
【請求項２２】
前記制御部は、前記管理領域が、前記記録媒体のリードイン領域より内周側に位置し、前記記録媒体の暗号と関連した情報を記録するバーストカッティングエリアである場合、前記アーカイブ可能性測定結果を読むために前記ピックアップを制御する、請求項２０に記載のデータ再生装置。
【請求項２３】
前記制御部は、前記管理領域が、前記記録媒体のリードイン領域より内周側に位置し、ユーザデータの記録を管理するための記録管理領域である場合、前記アーカイブ可能性測定結果を読むために前記ピックアップを制御する、請求項２０に記載のデータ再生装置。
【請求項２４】
前記制御部は、データアーカイブに関する情報が前記記録媒体の予想アーカイブ保存期限を示す情報を含んでデータを再生するように前記ピックアップを制御する、請求項２１、２２又は２３のうちいずれか１項に記載の再生装置。
【請求項２５】
前記データアーカイブに関する情報は、前記記録媒体の予想アーカイブ保存期限を範囲形態で記録した、請求項２４に記載のデータ再生装置。
【請求項２６】
前記範囲は、前記予想アーカイブ保存期限の下限及び上限によって特定される、請求項２５に記載のデータ再生装置。
【請求項２７】
前記範囲は、前記予想アーカイブ保存期限を等級情報として記録する、請求項２５に記載のデータ再生装置。
【請求項２８】
前記制御部は、データアーカイブに関する情報が前記記録媒体の品質に対する認定結果を示す情報を含んでデータを再生するように前記ピックアップを制御する、請求項２１、２２又は２３のうちいずれか１項に記載のデータ再生装置。
【請求項２９】
前記制御部は、データアーカイブに関する情報が前記データアーカイブのための前記記録媒体の推奨検証間隔を示す情報を含んでデータを再生するように前記ピックアップを制御する、請求項２１、２２又は２３のうちいずれか１項に記載のデータ再生装置。
【請求項３０】
前記記録媒体は複数の層を含むことを特徴とする、請求項２１、２２又は２３のうちいずれか１項に記載のデータ再生装置。
【請求項３１】
前記データアーカイブに関する情報は、前記記録媒体の一つの層に記録された後、他の層に記録されたり、複数の層に同時に記録されたりする形態で具現された、請求項３０に記載のデータ再生装置。
【発明の詳細な説明】
【技術分野】
【０００１】
本発明は、データ記録媒体、記録方法及び記録装置に関するもので、より詳細には、長期記憶用データ記録媒体、記録方法及び記録装置に関するものである。
【背景技術】
【０００２】
光ディスクは、情報を容易に記録して記憶できる記録媒体である。しかし、情報を長期記憶する場合、時間の経過とともに光ディスクの品質が低下する。また、データの記録及び再生のための新しい技術が発展するにつれて、今後生産される一般的な記録再生装置によって、既存の技術で光ディスクに記録されたデータを再生できないこともある。したがって、光ディスクに記録されてアーカイブ（長期記憶（archive））された情報の信頼性を保障できなくなり、新しい記録媒体へのバックアップも困難になり得る。
【０００３】
また、同一の製造会社で製造されたディスクであるとしても、ディスクの品質が異なる場合があり、ディスクの品質低下によるバックアップ時期を逃すことがある。
【０００４】
したがって、データアーカイブの用途で使用される記録可能なディスクにデータをアーカイブする必要があるとともに、ディスクの内部にディスクの品質及び状態と関連したその他の情報を記録し、ディスクを長期的に管理する必要がある。
【発明の概要】
【発明が解決しようとする課題】
【０００５】
本発明の目的は、ディスクにデータアーカイブに必要な情報を記録し、ユーザが効率的に所望のデータを長期の間信頼性をもって保管できるようにすることにある。
【課題を解決するための手段】
【０００６】
本発明の一実施例に係るデータ記録媒体は、ユーザデータを記録するためのデータ領域と、記録媒体に記録された情報を管理する管理情報を記憶する管理領域とを含み、前記管理情報は、データアーカイブに関する情報を含む。管理領域は、データ記録媒体のリードイン領域に含まれ、ユーザデータを制御する情報を記録する制御データ領域（Control Data Zone；ＣＤＺ）であってもよく、データ記録媒体のリードイン領域より内周側に位置し、記録媒体の暗号と関連した情報を記録するバーストカッティングエリア（Burst Cutting Area；ＢＣＡ）であってもよい。そして、管理領域は、データ記録媒体のリードイン領域より内周側に位置し、前記ユーザデータの記録を管理するための記録管理領域（Recording Management Area；ＲＭＡ）であってもよい。
【０００７】
データアーカイブに関する情報は、記録媒体の予想アーカイブ保存期限（estimated archival lifetime）を示す情報又は記録媒体の予想アーカイブ保存期限を範囲で記録することができる。ここで、範囲は、予想アーカイブ保存期限の下限及び上限によって特定されたり、又は予想アーカイブ保存期限に関する等級情報として記録されたりすることがある。
【０００８】
データアーカイブに関する情報は、記録媒体の品質に対する認定（accreditation）結果を示す情報又はデータのアーカイブのための記録媒体の推奨検証間隔（recommended test interval）を示す情報を含んでもよい。
【０００９】
ここで、記録媒体は複数の層を含んでもよく、データアーカイブに関する情報は、前記記録媒体の一つの層に記録された後、他の層に記録されたり、複数の層に同時に記録されたりする形態で具現される。
【００１０】
本発明の他の実施例に係るデータ記録方法は、記録媒体に記録された情報を管理する管理情報を記憶する管理領域を含む記録媒体のアーカイブ可能性（suitability）を測定し、測定結果によって、記録媒体に記録されたデータを他の記録媒体に移動するかどうかを判断することを含んでもよい。
【００１１】
このデータ記録方法は、アーカイブ可能性測定結果を前記管理領域に記録することをさらに含んでもよく、記録媒体に記録されたデータをバックアップすることをさらに含んでもよい。
【００１２】
本発明の更に他の実施例に係るデータ再生方法は、記録媒体に記録された情報を管理する管理情報を記憶する管理領域を含む記録媒体に記録されたアーカイブ可能性測定結果を読むことを特徴とする。
【００１３】
本発明の更に他の実施例に係るデータ再生装置は、記録媒体に光を照射してデータを記録するピックアップと、前記記録媒体に記録された情報を管理する管理情報を記憶する管理領域に、前記記録媒体のアーカイブ可能性測定結果を記録するために前記ピックアップを制御する制御部とを含んでもよい。
【発明の効果】
【００１４】
本発明に係るデータ記録媒体、記録方法及び記録装置によれば、ユーザが効率的に所望のデータを長期間信頼性をもって記憶できるようになる。
【図面の簡単な説明】
【００１５】
【図１】本発明の実施例に係る記録可能な記録媒体の物理構造を示す概略図である。
【図２】本発明の第１の実施例に係る記録媒体を示した概略図である。
【図３】図２のリードイン領域を示した概略図である。
【図４】最初の製造日付を記録する方法の例を示した概略図である。
【図５】推奨記録媒体交換日付を記録する方法の例を示した概略図である。
【図６】推奨記録媒体交換日付を記録する方法の例を示した概略図である。
【図７】記録媒体の予想アーカイブ保存期限を記録する方法の例を示した概略図である。
【図８】記録媒体の予想アーカイブ保存期限を記録する方法の例を示した概略図である。
【図９】記録媒体の予想アーカイブ保存期限を記録する方法の例を示した概略図である。
【図１０】認定結果を記録する方法の例を示した概略図である。
【図１１】推奨検証間隔を記録する方法の例を示した概略図である。
【図１２】推奨検証間隔を記録する方法の例を示した概略図である。
【図１３】較正用記録媒体であるかどうかを示すインジケータを記録する方法の例を示した概略図である。
【図１４】較正用記録媒体であるかどうかを示すインジケータを記録する方法の例を示した概略図である。
【図１５】本発明の第２の実施例に係るバーストカッティング領域（Burst Cutting Area）を含む記録媒体の構造を示した概略図である。
【図１６】記録媒体内におけるバーストカッティング領域又はナローバーストカッティング領域（Narrow Burst Cutting Area）（ＢＣＡ／ＮＢＣＡ）の位置を示す平面図である。
【図１７】ＢＣＡ／ＮＢＣＡ  ＣＯＤＥ内のデータ構成を示す図である。
【図１８】データフィールドに記録されるＢＣＡ／ＮＢＣＡレコードフォーマットを示した図である。
【図１９】複数のレコードがデータフィールドに記録される状態を示したテーブルである。
【図２０】本発明の第２の実施例に係るデータアーカイブアプリケーション（data archiving application）のために必要な情報をＢＣＡ／ＮＢＣＡ領域に記録した状態を示した図である。
【図２１】本発明の第３の実施例に係る記録可能な記録媒体が特にＤＶＤである場合、データアーカイブに関する情報（Data Archiving Information）が記録管理領域に記録される場合の記録媒体のトラック状態を示した概略図である。
【図２２】ＲＭＡの構造を示した平面図である。
【図２３】ＲＭＡの各ＲＭＤブロックが含む複数のフィールドを示したテーブルである。
【図２４】図２３のフィールドに記録できる更新可能なデータアーカイブに関する情報を示したテーブルである。
【図２５】ディスクの一般的な情報を記録したフィールドの内容を示したテーブルである。
【図２６】本発明の第４の実施例に係る記録可能な記録媒体が特に二層で構成されたＤＶＤ（ＤＶＤ−ＤＬ）である場合、データアーカイブに関する情報が記録管理領域に記録される場合の記録媒体のトラックの状態を示した概略図である。
【図２７】ＤＶＤ−ＤＬのＲＭＤブロックが含む複数のフィールドを示したテーブルである。
【図２８】ＲＭＤフォーマット５である場合のＲＭＤフィールドを示したテーブルである。
【図２９】それぞれのＲＭＤフォーマットによるＲＭＤフィールド０（６１０）のＢＰを示したテーブルである。
【図３０】ＤＶＤ−ＤＬでディスクの一般的な情報が記録されるＲＭＤフィールド０（６１０）を示したテーブルである。
【図３１】ディスク予想アーカイブ保存期限に関する情報を図１５のＢＣＡに記録した状態を示した図である。
【図３２】ディスク予想アーカイブ保存期限に関する情報を図１５のＢＣＡに記録した状態を示した図である。
【図３３】ディスク予想アーカイブ保存期限に関する情報を図２１のＲＭＡ及び図２６のＲＭＡに記録した状態を示した図である。
【図３４】ディスク予想アーカイブ保存期限に関する情報を図２１のＲＭＡ及び図２６のＲＭＡに記録した状態を示した図である。
【図３５】ディスク予想アーカイブ保存期限に関する情報を図２１のＲＭＡ及び図２６のＲＭＡに記録した状態を示した図である。
【図３６】ディスク予想アーカイブ保存期限に関する情報を図２１のＲＭＡ及び図２６のＲＭＡに記録した状態を示した図である。
【図３７】図３の制御データ領域に記録媒体の予想アーカイブ保存期限に関する情報を記録した状態を示した図である。
【図３８】図３の制御データ領域に記録媒体の予想アーカイブ保存期限に関する情報を記録した状態を示した図である。
【図３９】本発明の一実施例に係るデータアーカイブシステムを示した概略図である。
【図４０】本発明の一実施例に係るデータ記録方法を示したフローチャートである。
【発明を実施するための形態】
【００１６】
添付の図面は、本発明をさらに理解するために包含されており、本発明の実施形態を図示し、明細書の記載と共に本明細書の原理を説明するためのものである。
【００１７】
以下、添付の図面を参照して、本発明の実施例を本発明の属する分野で通常の知識を有する者が容易に実施できるように詳細に説明する。
【００１８】
本発明では、可能な限り、現在広く使用されている一般的な用語を選択して使用したが、特定の場合、出願人が任意に選定した用語もある。この場合は、該当する発明の説明部分でその意味を詳細に記載したので、単純な用語の名称でない用語の意味で本発明を把握しなければならない。
【００１９】
本発明は、コンパクトディスク（compact disc；ＣＤ）、デジタルバーサタイルディスク（digital versatile disc；ＤＶＤ）、ブルーレイディスク（blu-ray disc；ＢＤ）（登録商標）、ハイディフィニションデジタルバーサタイルディスク（high definition DVD；ＨＤ  ＤＶＤ）などの全ての光ディスクに適用可能である。
【００２０】
図１は、本発明の実施例に係る記録可能な記録媒体の物理構造を示す概略図である。
【００２１】
図１に示すように、本発明の実施例に係る記録媒体の各層は、ユーザデータを記録するためのデータ領域と、記録媒体に記録された情報を管理する管理情報を記憶する管理領域とを含む。記録媒体に記録された情報は、記録媒体の状態によって失われるおそれがあり、これを管理するための情報が必要である。このような管理情報のうちの一つであるデータアーカイブに関する情報は、管理領域に記憶される。
【００２２】
図２〜図１４を参照して、本発明の第１の実施例によってデータアーカイブに関する情報がリードイン領域１００に記憶される場合の実施例を説明する。
【００２３】
図２は、本発明の第１の実施例に係るリードイン領域１００を含む記録媒体の構造を示した概略図である。
【００２４】
図２に示すように、本発明の第１の実施例に係る記録媒体は、リードイン領域１００、データ領域２００及びリードアウト領域３００を含んでもよい。リードイン領域１００からリードアウト領域３００に行くほど、すなわち、ディスクの外側に行くほど、物理セクタ番号が増加する。データ領域には、アーカイブのためのユーザデータが記録される。
【００２５】
図３は、図２のリードイン領域１００の詳細構造図である。図３に示すように、リードイン領域１００は、記録媒体の内側から順次配置される開始領域１１０、第１のバッファ領域１２０、物理フォーマット領域１３０、参照コード領域１４０、第２のバッファ領域１５０、制御データ領域１６０及び境界領域１７０を含む。
【００２６】
開始領域１１０の物理セクタに記録されるデータフレームのメインデータは、空白（blank）を意味する００ｈに設定される。
【００２７】
第１のバッファ領域１２０は、３２個のＥＣＣブロック及び５１２個のセクタからなる。この領域の物理セクタに記録されるデータフレームのメインデータは、００ｈに設定される。
【００２８】
図示したように、制御データ領域１６０は、複数のクラスタで構成される。本実施例に係る記録媒体では、このような制御データ領域１６０に記録媒体の最初の製造日付に関する情報を記録する。各記録媒体の製造会社によって記録媒体の製造日付を記録しない場合があり、記録媒体の製造日付を記録するとしても、製造会社によってその方法が互いに異なるので、製造日付を知ることができない場合が多い。したがって、このような情報を記録媒体のリードイン領域に記録する。
【００２９】
図４は、記録媒体の最初の製造日付を記録する方法の例を示す。図示したように、このような情報は、制御データ領域１６０に年／月／日の形態でそれぞれ２バイトずつ合計６バイトを割り当てて記録することができる。
【００３０】
図５〜図６は、推奨ディスク交換日付を記録する方法の例を示した図で、図５は、推奨ディスク交換日付の範囲を記録する方法の例を示し、図６は、推奨ディスク交換日付を単一の値で記録する方法の例を示す。本実施例で、このような情報は物理フォーマット領域１３０に記録される。
【００３１】
図７〜図９は、記録媒体の予想アーカイブ保存期限記録方法の例を示した図である。
【００３２】
図７に示すように、保存期限決定のために記録媒体を検証した日付には、年／月／日の形態でそれぞれ２バイトずつ合計６バイトを割り当て、予想アーカイブ保存期限の範囲を示すインジケータに図８に示した下限（Lower Limit）であるＸ１及び上限（Upper Limit）であるＸ２をそれぞれ１バイトずつ割り当てて使用することができる。予想アーカイブ保存期限は、年単位で１バイトを割り当てて表示することができる。
【００３３】
例えば、同一の生産ラインで生産されるディスクのうち一部を標本として抽出した後、それらの予想保存期限情報をＥＣＭＡ−３７９又はＩＳＯ／ＥＩＣ  １０９５規格を用いて測定する。図８に示すように、測定した結果、予想アーカイブ保存期限がＸ年に該当する場合、Ｘに基づいて予想アーカイブ保存期限の範囲を設定し、保存期限の下限であるＸ１及び上限であるＸ２を設定することができる。標本として抽出された一部のディスクの平均予想アーカイブ保存期限が３０年に該当する場合、＋５、−５年程度の範囲を設定し、保存期限の下限を２５年、上限を３５年として記録することができる。また、＋３、−３年程度の範囲を設定し、保存期限の下限を２７年、上限を３３年として記録することもできる。このような下限及び上限を設定するための予想アーカイブ保存期限の範囲は、＋５、−５、＋３、−３の他にも自由に設定することができる。
【００３４】
一方、図９に示すように、記録媒体の予想アーカイブ保存期限に関する情報を等級に区分して記録することもできる。例えば、測定した予想アーカイブ保存期限が５０年以上である場合は１等級、３０年以上で５０年未満である場合は２等級、３０年未満である場合は３等級などに区分して記録することができる。また、図８に示した下限及び上限の範囲とともに、等級情報も記録することができる。このような図８〜図９の予想アーカイブ保存期限に関する情報を記録する多様な記録媒体は、後で図３１〜図３８を参照して説明する。
【００３５】
図１０は、認定結果記録方法の例を示す。データアーカイブアプリケーション用ディスクは、長期のデータ記憶が要求されるので、特にディスク自体が高い品質を有する必要がある。これによって、データアーカイブアプリケーション用ディスクの品質を検証する認定システムが設けられ、その結果を記録する。図示したように、認定結果に１バイトを割り当て、記録媒体の検証日付に６バイトを割り当てて記録することができる。
【００３６】
また、本実施例に係る記録媒体には、記録媒体の品質及び予想アーカイブ保存期限を考慮し、推奨検証間隔を示す情報が記録される。検証頻度は、年単位で示され、その最小頻度又は最大頻度の値を知らせる形態又は単数値の形態で記録される。
【００３７】
図１１は、推奨検証間隔の最小値及び最大値を知らせる形態で記録する方法の例を示し、図１２は、推奨検証間隔を単数の値で記録する方法の例を示す。
【００３８】
また、本実施例に係る記録媒体には、アーカイブ用記録再生装置の較正のための記録媒体をデータ記録用記録媒体と区別するための情報が記録される。図１３は、較正用記録媒体であるかどうかを示すインジケータの記録方法の例を示し、図１４は、図１３のインジケータ設定方法の例を示す。
【００３９】
本実施例で、このようなアーカイブのための各情報は、リードイン領域の制御データ領域に記録される。しかし、本発明がこれに限定されることはなく、このような各情報は、リードイン領域の他の位置又はリードイン領域でない他の領域に記録されることもある。
【００４０】
図１５〜図１９を参照して、本発明の第２の実施例によってデータアーカイブに関する情報がバーストカッティング領域４００に含まれた場合の実施例を説明する。
【００４１】
図１５は、本発明の第２の実施例に係るバーストカッティング領域４００を含む記録媒体の構造を示した概略図である。
【００４２】
図１５に示すように、本発明の実施例に係る記録可能な記録媒体のトラックは、記録媒体の中心から配置されるバーストカッティング領域４００、リードイン領域１００、データ領域２００及びリードアウト領域３００を含んで具現される。
【００４３】
バーストカッティング領域４００は、光ディスクのシリアル番号に関する情報及び製造会社の情報を記録し、バーコード形態で情報を記録する。また、バーストカッティング領域４００は、関連情報が該当のレコードに記録されていることを示すレコードＩＤ、上述した記録媒体の予想アーカイブ保存期限を示す情報、記録媒体の品質に対する認定結果を示す情報、及びデータのアーカイブのための記録媒体の推奨検証間隔を示す情報などのデータをアーカイブするための関連情報を記録することができる。データアーカイブに関する情報がバーストカッティング領域４００に記録される位置情報は、後で図２０を参照して説明する。
【００４４】
図１６は、記録媒体内でバーストカッティング領域１００又はナローバーストカッティング領域（以下、ＢＣＡ／ＮＢＣＡという。）の位置を示す平面図である。ＤＶＤ−Ｒディスクの場合、メディア製造会社で製造過程を完了した後、センターホールの中央から２２.７１±０.０６mmと２３.５１±０.０６mmとの間にＢＣＡ／ＮＢＣＡが設定される。この領域は、メディア製造会社によって記録されるので、記録されたデータの信頼性が保障され、リードイン領域より容易かつ迅速に情報を読めるという長所がある。
【００４５】
図１７は、ＢＣＡ／ＮＢＣＡ  ＣＯＤＥ内のデータ構成を示すもので、ＢＣＡ／ＮＢＣＡ  ＣＯＤＥは、プリアンブルフィールド（Preamble field）、エラー検出コード（Error Detection Code、ＥＤＣ）、データフィールド、エラー修正コード（Error Correction Code、ＥＣＣ）及びポストアンブルフィールド（Postamble field）を含む。データフィールドには、データがＢＣＡ／ＮＢＣＡレコード単位で記録され、各レコードは、図１８のように、ＢＣＡ／ＮＢＣＡレコードＩＤ、バージョン番号、データ長さ及びレコードデータを含んで構成されている。各レコードは、４バイト単位で記録されるが、最初の４バイトにはＢＣＡ／ＮＢＣＡレコードＩＤ、バージョン番号及びデータ長さが記録され、残りの領域には、レコードデータが４バイトの倍数のサイズで割り当てられて記録される。
【００４６】
図１９は、複数のレコードがデータフィールドに記録される状態を示したテーブルであって、ＢＣＡ／ＮＢＣＡレコード＃１、ＢＣＡ／ＮＢＣＡレコード＃２が記録された残りの領域は、（１６ｎ−４）バイトのサイズに合わせるために末尾ゼロ（trailing zero）でパディングされるようになる。
【００４７】
図２０は、本発明の実施例に係るデータアーカイブアプリケーションのために必要な情報をＢＣＡ／ＮＢＣＡ領域に記録する例を示す。新しいＢＣＡ／ＮＢＣＡレコードＩＤが割り当てられて記録され、レコードデータ領域には、予想アーカイブ保存期限、認定結果及び推奨検証間隔が記録される。ここで、新しいＢＣＡ／ＮＢＣＡレコードＩＤは、データアーカイブアプリケーションのために必要な情報が該当のレコードに記録されているという点を示す。このようなデータアーカイブに関する情報である予想アーカイブ保存期限、認定結果及び推奨検証間隔に関する情報は、図２〜図１４を参照して説明した通りである。
【００４８】
図２１〜図２５は、本発明の第３の実施例に係る記録可能な記録媒体が特にＤＶＤである場合、データアーカイブに関する情報が記録管理領域（Recording Management Area、以下、ＲＭＡという。）５０２に記録される場合の記録媒体のトラックの状態を示した概略図である。
【００４９】
図２１に示すように、本発明の第３の実施例に係る記録可能な記録媒体のトラックは、データ領域２００、リードイン領域１００、リードアウト領域３００及びＲ−情報領域５００を含んで具現されることもある。
【００５０】
Ｒ−情報領域５００は、前記リードイン領域の内周側に備えられており、ＯＰＣ過程を担当するパワー較正領域（Power Calibration Area、以下、ＰＣＡという。）５０１と、記録媒体にデータを記録するための管理情報及びデータアーカイブに関する情報を記憶するＲＭＡ５０２とを含む。ＰＣＡ領域とＲＭＡ領域との間には３２ＫＢサイズのリンク損失領域がある。
【００５１】
図２２は、ＲＭＡ５０２の構造を示した平面図である。
【００５２】
図２２に示すように、ＲＭＡ５０２領域は、ＲＭＡリードイン領域及び７００個の記録管理データ（Recording Management Data、以下、ＲＭＤという。）ブロックを含む。各ＲＭＤブロックは、２ＫＢサイズのリンク損失領域及びフィールド０〜フィールド１４の合計１５個のフィールドを含む。
【００５３】
図２３は、ＲＭＡの各ＲＭＤブロックが含む複数のフィールドを示したテーブルである。
【００５４】
図２３に示すように、フィールド０は、ディスクの一般的な情報と関連しており、上述した記録媒体の予想アーカイブ保存期限、記録媒体の品質に対する認定結果、記録媒体の推奨検証間隔などのデータアーカイブに関する情報を記録することができる。前記各情報は、図２〜図１４を参照して説明した通りである。このような情報は、記録媒体のアーカイブ適合性テストを実行した後、ディスクに１回記録されれば、再び更新される必要がないので、記録媒体の一般情報と関連したフィールド０に記録されることが適切である。フィールド０は、図２５に示すように、ＲＭＤの記録形態を示すＲＭＤフォーマット、ディスク状態、一意のディスクＩＤ、プリピット情報のコピー、リザーブ（Reserved）情報領域を含み、上述したデータアーカイブに関する情報は、特にフィールド０の各領域のうちリザーブ領域に記憶することができる。
【００５５】
フィールド２は、ユーザ固有データと関連しており、図２４に示したテーブル内の記録媒体の検証日付、検証回数、記録媒体の全体又は部分の検証に関する情報、データアーカイブレベルに関する情報、欠陥管理に関する情報、及び欠陥率に関する情報などを記録することができる。記録媒体のアーカイブ適合性テストを複数回実行した結果、図２４のテーブル内の各情報を継続的に更新して記録する必要があるので、これら各テーブル情報は、フィールド２に記録することが適切である。すなわち、ユーザが多くのテストを１回又は１回以上定期的に実行するが、テスト結果をフィールド２に最大７００回更新できるようになる。フィールド２には、領域が使用されない場合、００ｈが記録される。
【００５６】
その他に、フィールド１はＯＰＣ関連情報と関連し、フィールド３は境界領域情報、フィールド４〜フィールド１２は、ユーザデータを記録するために予約された領域の一部であるＲＺｏｎｅに関する情報と関連し、フィールド１３はドライブ固有情報と関連している。各フィールドのサイズは２ＫＢであるので、残りの領域はリザーブされる。ここで、フィールド２に記憶された図２４の各テーブル情報は、将来使用するためのリザーブフィールド１４に記憶することもできる。
【００５７】
図２６〜図３０は、本発明の第４の実施例に係る記録可能な記録媒体が特に二層で構成されたＤＶＤ（以下、ＤＶＤ−ＤＬという。）である場合、データアーカイブに関する情報がＲＭＡ６０１に記録される場合の記録媒体のトラック状態を示した概略図である。
【００５８】
図２６に示すように、二層で構成されたＤＶＤは、データ領域２００及びＲ−情報領域６００を含み、レイヤ０の場合、リードイン領域１００を含み、レイヤ１の場合、リードアウト領域３００を含む。
【００５９】
データ領域２００はユーザデータを記録し、リードイン領域１００は、レイヤ０のデータ領域２００の内側に隣接した物理セクタを含み、リードアウト領域３００は、レイヤ１のデータ領域２００の内側に隣接した物理セクタを含む。
【００６０】
Ｒ−情報領域６００は、レイヤ０のリードイン領域１００及びレイヤ１のリードアウト領域３００の内側に位置する。また、Ｒ−情報領域６００は、ディスクの内側に位置し、ディスク検証と関連した情報を記録する内側ディスク検証領域（Inner Disc Testing Area；ＩＤＴＡ）６０２と、記録媒体に記録された情報を管理する管理情報を記憶するＲＭＡ６０１とを含む。ＲＭＡ６０１及び管理情報については、後で図２７〜図３０を参照して説明する。また、ＲＭＡ６０１は、ＲＭＡリードイン領域と、記録媒体に記録される情報に関するＲＭＤとを含む。
【００６１】
図２７は、ＤＶＤ−ＤＬのＲＭＤブロックが含む複数のフィールドを示したテーブルである。
【００６２】
図２７に示すように、ＤＶＤ−ＤＬでは、フォーマット１及びフォーマット４である二つのタイプのＲＭＤ形態が定義される。フォーマット１ＲＭＤは、ディスクの一部領域を使用した後、残った領域にデータを記録できるインクリメンタル記録モード及びディスクにデータを順次記録し、１回記録すれば、次に該当のディスクに再びデータを記録できないディスクアットワンスモード（disc at once mode）に使用される。フォーマット４ＲＭＤは、インクリメンタル記録モード及びディスクの下位レイヤ及び上位レイヤに交互にデータを記録できるレイヤジャンプ記録モード（Layer Jump Recording Mode）に使用される。フォーマット１ＲＭＤのディスクアットワンスモードによってレイヤ０にデータを順次記録した後、レイヤ１に到達するのとは異なり、フォーマット４ＲＭＤのレイヤジャンプ記録モードによって、レイヤ０及びレイヤ１に同時にデータを交互に記録することができる。フォーマット１とフォーマット４のＲＭＤフィールド０（６１０）はディスクの一般的な情報と関連し、ＲＭＤフィールド１はＯＰＣ関連情報と関連している。ＲＭＤフィールド２（６２０）は、ユーザ固有データと関連しており、ＲＭＤフィールド４〜フィールド１２は、ユーザデータを記録するために予約された領域の一部であるＲＺｏｎｅに関する情報と関連し、フィールド１３はドライブ固有情報と関連し、フィールド１４は、ディスク検証領域情報を記録するのに使用される。ＲＭＤフォーマット１及びＲＭＤフォーマット４は、フィールド３と関連する内容で区分されるが、フォーマット１のフィールド３の各バイトが００にセットされているが、フォーマット４のフィールド３は境界領域情報と関連している。
【００６３】
上述したデータアーカイブと関連する各情報は、ユーザ固有データを記録できるフォーマット１又はフォーマット４のフィールド２（６２０）を用いて記録することができ、図２８のように、フォーマット５のフィールド２（６２０）を用いて記録することもできる。図４のフォーマット５は、図３のフォーマット１及びフォーマット４の各フィールドとその役割が同一であるが、記録モードがディスクアットワンスモードであるか、それともレイヤジャンプ記録モードであるかによって、フィールド３の場合、リザーブとして使用されたり、境界領域情報を記録するのに使用されたりするという点で、フォーマット１はフォーマット４と異なる。
【００６４】
フォーマット１、フォーマット４及びフォーマット５は、図２９に示すように、ＲＭＤフィールド０（６１０）に対応するバイト位置（Byte Position、以下、ＢＰという。）によって区分することができる。ＲＭＤフォーマットの種類を示す情報は、ＢＰの０〜１に該当する部分に記憶される。図２９に示すように、ＲＭＤフィールド１〜フィールド１４の内容がＲＭＤフォーマット１で記録されたことを示すためには、ＢＰ０〜１が０００１ｈにセットされ、ＲＭＤフォーマット４で記録されたことを示すためには、ＢＰ０〜１が０００４ｈにセットされる。また、ＲＭＤフォーマット５で記録されたことを示すためには、ＢＰ０〜１が０００５ｈにセットされる。
【００６５】
本発明の第４の実施例である二層で構成されたＤＶＤの場合も、上述した図２４に示したデータアーカイブと関連した各情報の一例である記録媒体の検証日付、検証回数、記録媒体の全体又は部分の検証に関する情報、アーカイブ可能性のレベルに関する情報、欠陥管理に関する情報、及び欠陥率に関する情報などを図２７及び図２８のフィールド２（６２０）に記録することができる。記録媒体のアーカイブ適合性テストを複数回実行しながらデータ移動過程を遂行することができ、この過程を経ながらテスト結果であるテーブル内の各情報を継続的に更新して記録する必要があるので、これら各テーブル情報は、図２７及び図２８のフィールド２（６２０）に記録することが適切である。これとともに、上述した記録媒体の予想アーカイブ保存期限、記録媒体の品質に対する認定結果、記録媒体の推奨検証間隔などのデータアーカイブに関する情報も記録することができる。このような各情報は、図２〜図１４を参照して説明した通りである。このような情報は、記録媒体のアーカイブ適合性テストを実行した後、ディスクに１回記録されれば、再び更新される必要がないので、記録媒体の一般情報と関連した図２７及び図２８のフィールド０（６１０）に記録することができる。
【００６６】
図３０は、ＤＶＤ−ＤＬでディスクの一般的な情報が記録されるＲＭＤフィールド０（６１０）を示したテーブルである。上述したように、フォーマット１、フォーマット４及びフォーマット５は、フィールド０（６１０）のＢＰが０〜１である部分に記憶されるＲＭＤフォーマットによって区分される。フィールド０（６１０）は、ＲＭＤの記録形態を示すＲＭＤフォーマット、ディスク状態、一意のディスクＩＤ、プリピット情報のコピー、移動した中間領域のセクタ開始番号、予め記録された情報コード、予め記録されたリードイン領域の終了アドレス、レイヤ０に位置した予め記録された中間領域の終了アドレス、レイヤ１に位置した予め記録された中間領域の終了アドレス、リードアウト領域に予め記録された終了アドレス、リザーブ情報を含む。
【００６７】
上述した図２４のデータアーカイブに関する情報は図２７及び図２８のフィールド２（６２０）に記録され、記録媒体の予想アーカイブ保存期限、記録媒体の品質に対する認定結果、記録媒体の推奨検証間隔などの更に他のデータアーカイブに関する情報は、図３０のフィールド０（６１０）のリザーブ情報領域に記録される。
【００６８】
図３１〜図３８は、図８及び図９の予想アーカイブ保存期限に関する情報を記録する多様な記録媒体に関する平面図である。
【００６９】
図３１及び図３２は、ディスク予想アーカイブ保存期限に関する情報を図１５のＢＣＡ（４００）に記録した状態を示した図である。
【００７０】
図３１に示すように、上述したディスク予想アーカイブ保存期限情報の下限であるＸ１を記録した後、上限であるＸ２を記録することもでき、その反対に、Ｘ２を記録した後、Ｘ１を記録することもできる。また、図３２に示すように、レコードデータ領域にディスク予想アーカイブ保存期限情報を記録するとき、上述した等級情報を用いて記録することもできる。
【００７１】
図３３〜図３６は、ディスク予想アーカイブ保存期限に関する情報を図２１のＲＭＡ（５０２）及び図２６のＲＭＡ（６０１）に記録した状態を示した図である。特に、図３３及び図３４は、単層ディスクの場合を示した図で、図３５及び図３６は、二層ディスクの場合を示した図である。
【００７２】
図３７及び図３８は、図３の制御データ領域１６０に記録媒体の予想アーカイブ保存期限に関する情報を記録した状態を示した図である。
【００７３】
図３の制御データ領域１６０は、図３７及び図３８のような情報を含んでもよい。Ｒ、ＲＡＭ、ＲＷ状態を示すブックタイプ（Book type）、ディスクのサイズ及びデータ転送レートを示すディスクサイズ及びディスクの最大転送レート、レイヤなどのディスクの構造を示すディスク構造、記録密度（Recorded density）、データ領域の割り当て構造を示すデータ領域割り当て、ＮＢＣＡ（Narrow BCA）の存在有無を示すＮＢＣＡ記述子（descriptor）、追加の境界領域（Extra Border Zone）のセクタ開始番号を示す追加の境界領域の開始セクタ番号、リザーブ領域情報を含む。
【００７４】
図３７のように、ディスク予想アーカイブ保存期限の下限Ｘ１及び上限Ｘ２を１バイトの領域に割り当ててリザーブ情報領域に記録することができる。また、図３８に示すように、等級に関する情報をリザーブ情報領域に記録することもできる。
【００７５】
図３９は、本発明の一実施例に係るデータアーカイブシステムを示した概略図である。
【００７６】
図３９に示すように、データアーカイブシステムは、大きく記録／再生装置７００及び主制御部８００を含み、記録／再生装置７００は、ピックアップ部１０、サーボ制御部１２、制御部１４、信号処理部１６、メモリ１８及びインターフェース部２０を含む。
【００７７】
ピックアップ部１０は、内部にレーザダイオード（Laser Diode；ＬＤ）を備えて記録媒体の表面にデータを記録したり、記録媒体の表面から反射される信号を読み出したりする。
【００７８】
サーボ制御部１２は、制御部１４から発生した制御信号に基づいて、ピックアップ部１０のトラッキング及びフォーカシング動作を制御する。
【００７９】
制御部１４は、信号処理部１２を通して入力される信号からピックアップ部１０のトラッキング及びフォーカシング動作を制御する制御信号を発生させる。また、制御部１４は、記録媒体に記録された情報を管理する管理情報を記憶する管理領域に記録された、アーカイブ可能性測定結果を読むために前記ピックアップ部１０を制御する。制御部１４は、管理領域が、データ記録媒体のリードイン領域に含まれ、前記ユーザデータを制御する情報を記録する制御データ領域（Control Data Zone；ＣＤＺ）である場合、アーカイブ可能性測定結果を読むために前記ピックアップ部１０を制御することができる。また、制御部１４は、管理領域が、前記データ記録媒体のリードイン領域より内周側に位置し、記録媒体の暗号と関連した情報を記録するバーストカッティングエリア（Burst Cutting Area；ＢＣＡ）である場合、アーカイブ可能性測定結果を読むために前記ピックアップ部１０を制御することができる。そして、制御部１４は、管理領域が、前記データ記録媒体のリードイン領域より内周側に位置し、前記ユーザデータの記録を管理するための記録管理領域（Recording Management Area；ＲＭＡ）である場合、アーカイブ可能性測定結果を読むために前記ピックアップ部１０を制御することもできる。
【００８０】
制御部１４は、データアーカイブに関する情報が記録媒体の予想アーカイブ保存期限を示す情報を含んでデータを再生するように前記ピックアップ部１０を制御することができる。ここで、データアーカイブに関する情報は、記録媒体の予想アーカイブ保存期限を範囲で記録することができるが、範囲は、予想アーカイブ保存期限の下限及び上限によって特定されたり、等級情報として記録することができる。
【００８１】
また、制御部１４は、データアーカイブに関する情報が、記録媒体の品質に対する認定結果を示す情報を含んでデータを再生するように前記ピックアップ部１０を制御したり、データのアーカイブのための記録媒体の推奨検証間隔を示す情報を含んでデータを再生するようにピックアップ部１０を制御したりすることができる。
【００８２】
信号処理部１６は、データの再生時には、ピックアップ部１０で読み出された信号を受信して所望の信号値に復元し、データの記録時には、記録されるデータを記録媒体に記録される信号に変調してピックアップ部１０に伝達する。
【００８３】
メモリ１８は、記録媒体内の管理情報などを一時記憶したり、記録・再生されるデータの一時記憶のためのバッファ機能を行う。
【００８４】
インターフェース部２０は、主制御部８００からユーザの記録又は再生命令を受けて制御部１４に転送し、制御部１４は記録／再生装置７００の各構成要素を制御する。
【００８５】
主制御部８００は、記録／再生装置７００のインターフェース部２０に記録再生命令を伝達し、システム全体を制御する。主制御部８００は、コンピュータ、サーバ、オーディオ装置又はビデオ装置のメインコントローラである。すなわち、記録／再生装置７００は、ＰＣ（Personal Computer）などに提供される光ドライブであってもよく、ＰＣなどに装着されないプレーヤであってもよい。
【００８６】
したがって、本発明の実施例に係る記録／再生装置７００は、ＰＣなどの内部に装着されて運営される光ドライブ及び単独の製品として活用されるプレーヤのいずれにも適用可能である。
【００８７】
図４０は、本発明の一実施例に係るデータ記録方法を示したフローチャートである。
【００８８】
図４０に示すように、データアーカイブに関する情報を記憶する管理領域を含む記録媒体のアーカイブ可能性を測定する（Ｓ１０）。例えば、ＤＶＤ−ＤＬ  Ｒに対して、連続するｎ個のＥＣＣブロックで最大の内部パリティエラーを測定し、ＤＶＤ−ＤＬ  ＲＡＭに対しては、最大のバイトエラー率を測定する。前記内部パリティエラー又は最大のバイトエラー率に基づいてアーカイブ可能性のレベルを検出する。例えば、最大の内部パリティエラー率又は最大のバイトエラー率が低い方から順に１〜３のレベルで評価する。アーカイブ可能性のレベルの測定のための検証装置は、前記のような最大の内部パリティエラー率又は最大のバイトエラー率を測定できる装置でなければならない。
【００８９】
次に、アーカイブ可能性のレベル測定結果に基づいて、記録媒体に記憶されたデータの移動、すなわち、バックアップが必要であるかどうかを判断する（Ｓ２０）。このとき、データのバックアップ、すなわち、他の記録媒体への移動が必要であると判断される場合は、データのバックアップを行う（Ｓ３０）。例えば、アーカイブ可能性が最も低いレベル３の記録媒体に対してはデータの移動、すなわち、バックアップを実施するように決定し、レベル１及びレベル２の記録媒体に対しては使用維持を決定することができる。データの移動が必要でない場合は、記録媒体に備えられた管理領域にアーカイブ可能性測定の結果を記録する（Ｓ４０）。
【００９０】
例えば、測定結果記録媒体のアーカイブ可能性の程度が他の記録媒体に比べて相対的に高いと判断する場合、すなわち、記録媒体のアーカイブ可能性の程度がレベル１又はレベル２に該当する記録媒体に対しては、図５の各測定結果をフィールド２又はフィールド１４に記録する（Ｓ４０）。
【００９１】
アーカイブ可能性の程度が低いと判断する場合は、例えば、記録媒体の保存期限が終わったり、傷が生じたことから廃棄する必要性が大きいと判断され、アーカイブ可能性のレベルが最も低いレベル３に該当する記録媒体に対しては、現在の記録媒体に記憶されたデータを他の記録媒体に移動するためのバックアップを実施する（Ｓ３０）。
【００９２】
以上、本発明の好適な実施例について説明したが、本発明がこれに限定されることはなく、特許請求の範囲と発明の詳細な説明及び添付の図面の範囲内で多様に変形して実施することができ、これも本発明の範囲に属することは当然である。
【図１】
2011521392.tif 000003
【図２】
2011521392.tif 000004
【図３】
2011521392.tif 000005
【図４】
2011521392.tif 000006
【図５】
2011521392.tif 000007
【図６】
2011521392.tif 000008
【図７】
2011521392.tif 000009
【図８】
2011521392.tif 000010
【図９】
2011521392.tif 000011
【図１０】
2011521392.tif 000012
【図１１】
2011521392.tif 000013
【図１２】
2011521392.tif 000014
【図１３】
2011521392.tif 000015
【図１４】
2011521392.tif 000016
【図１５】
2011521392.tif 000017
【図１６】
2011521392.tif 000018
【図１７】
2011521392.tif 000019
【図１８】
2011521392.tif 000020
【図１９】
2011521392.tif 000021
【図２０】
2011521392.tif 000022
【図２１】
2011521392.tif 000023
【図２２】
2011521392.tif 000024
【図２３】
2011521392.tif 000025
【図２４】
2011521392.tif 000026
【図２５】
2011521392.tif 000027
【図２６】
2011521392.tif 000028
【図２７】
2011521392.tif 000029
【図２８】
2011521392.tif 000030
【図２９】
2011521392.tif 000031
【図３０】
2011521392.tif 000032
【図３１】
2011521392.tif 000033
【図３２】
2011521392.tif 000034
【図３３】
2011521392.tif 000035
【図３４】
2011521392.tif 000036
【図３５】
2011521392.tif 000037
【図３６】
2011521392.tif 000038
【図３７】
2011521392.tif 000039
【図３８】
2011521392.tif 000040
【図３９】
2011521392.tif 000041
【図４０】
2011521392.tif 000042
【国際調査報告】
2011521392.tif 000043
2011521392.tif 000044
2011521392.tif 000045
2011521392.tif 000046